(57)【要約】【目的】  洗濯機の嵩上げ方法に使用する嵩上げ台において、該嵩上げ台の取扱性、取扱上の安全性、洗濯機に対する傷付防止性を向上させた洗濯機の嵩上げ台を提供できるようにする。【解決手段】  洗濯機の嵩上げ台３を、洗濯機２の後脚２ａを載せるための台座４と、上記台座４の端部ないし端部近傍に設けられて、上方に向って伸びるロッド５とから構成し、上記ロッド５ないし台座４にマグネット５ａを設けて、このマグネット５ａの磁気吸着力でロッド５を台座４の上面４ａに磁着して立設する。これにより、ロッド５による台座４のコントロールがし易く、台座４を指定位置に容易に誘導でき、また、洗濯機２がロッド５に衝突した場合でも、ロッド５が押された方向に退いて洗濯機への傷付きが防止される。【選択図】  図１Ａ
0003204547.tif 000002
【実用新案登録請求の範囲】
【請求項１】
洗濯機の嵩上げ台において、
洗濯機の脚を載せるための台座であって、上面、底面、及び側面を有する台座と、 
上記台座から上方へ向って延びている操作体と、
を備え、
上記台座及び操作体のうちの少なくとも一方に設けられたマグネットの磁気吸着力により、上記操作体が上記台座の上面の一端部ないし一端部近傍に磁着していることを特徴とする洗濯機の嵩上げ台。
【請求項２】
洗濯機の嵩上げ台において、
洗濯機の脚を載せるための台座であって、上面、底面、及び側面を有する台座と、 
上記台座から上方へ向って延びている操作体と、
を備え、
上記操作体の基部寄りの部分が、上記台座の側面または上面に挿入口が設けられた該台座の内方に向かって延びる穴に挿入されていることを特徴とする洗濯機の嵩上げ台。
【請求項３】
上記穴が、上記台座の側面の背面側に設けられて、挿入口から該穴の底部に向かって概ね水平に延びていることを特徴とする請求項２に記載の洗濯機の嵩上げ台。
【請求項４】
上記穴が、上記台座の側面の背面側に設けられて、挿入口から該穴の底部に向かって上り傾斜で延びていることを特徴とする請求項２に記載の洗濯機の嵩上げ台。
【請求項５】
上記穴が、上記台座の側面または上面に設けられて、挿入口から該穴の底部に向かって下り傾斜で延びていることを特徴とする請求項２に記載の洗濯機の嵩上げ台。
【請求項６】
上記操作体の基端部ないし基端部近傍と、上記穴の底部または底部近傍とが、
弾性変形部材を介して接続されていることを特徴とする請求項２に記載の洗濯機の嵩上げ台。
【請求項７】
上記操作体の上記穴の内部に挿入されている基部寄りの部分及び上記穴のうちの少なくとも一方に設けられたマグネットの磁気吸着力により、基部寄りの部分が穴内壁に磁着していることを特徴とする請求項２に記載の洗濯機の嵩上げ台。
【請求項８】
洗濯機の嵩上げ台において、
洗濯機の脚を載せるための台座であって、上面、底面、及び側面を有する台座と、 
上記台座から上方へ向って延びている操作体と、
を備え、
上記操作体が上記台座の上面ないし背面に立設され、且つ上記操作体の基部に弾性変形部材が設けられていることを特徴とする洗濯機の嵩上げ台。
【請求項９】
洗濯機の嵩上げ台において、
洗濯機の脚を載せるための台座であって、上面、底面、及び側面を有する台座と、 
上記台座から上方へ向って延びている操作体と、
を備え、
上記操作体が上記台座の上面ないし背面に立設され、且つ上記操作体の基部寄りの部分に弾性変形部材が設けられていることを特徴とする洗濯機の嵩上げ台。
【請求項１０】
上記台座が、平面視において、長方形や楕円やオーバルなどの横長形状であることを特徴とする請求項１，２，８，９のいずれかに記載の洗濯機の嵩上げ台。
【請求項１１】
上記操作体が、弾性変形部材から構成されていることを特徴とする請求項１、２、８、９のいずれかに記載の洗濯機の嵩上げ台。
【請求項１２】
上記操作体が、単数もしくは複数のロッドおよびハンドルの少なくとも一方から構成されていることを特徴とする請求項１，２，８，９のいずれかに記載の洗濯機の嵩上げ台。
【請求項１３】
上記操作体が、伸縮可能に構成されていることを特徴とする請求項１，２，８，９のいずれかに記載の洗濯機の嵩上げ台。
【請求項１４】
上記嵩上げ台が、連結部材によって２基並行に連結されていることを特徴とする請求項１，２，８，９のいずれかに記載の洗濯機の嵩上げ台。
【請求項１５】
上記台座と操作体とが、螺着によって取り付けられていることを特徴とする請求項２，８，９のいずれかに記載の洗濯機の嵩上げ台。
【考案の詳細な説明】
【技術分野】
【０００１】
本考案は、洗濯機の下に排水口が位置している排水管の内部を洗浄する際に、該洗濯機の底面と排水口との間の空間を広げるために用いる洗濯機の嵩上げ台に関し、より詳しくは、洗濯機の周囲三方が壁等で囲まれ、また防水パン上に設置されている洗濯機を嵩上げする際に用いる洗濯機の嵩上げ台に関する。
【背景技術】
【０００２】
近年、マンション等の集合住宅における洗濯機の置き場は合理性が考慮されているため、洗濯機を設置する防水パンは正方形のものが導入され、しかも、防水パンの周囲三方は壁等で囲まれた状態となっている。このため、防水パン上に設置される洗濯機の周囲三方も壁等で囲まれることとなる。従って、洗濯機からの排水を排出するための排水管の排水口は、洗濯機の概ね中央直下の隠れた位置にある。
【０００３】
また、洗濯機においては、近年のエコロジー化から斜めドラムの全自動式洗濯機を購入する家庭が増加しており、このドラム式の洗濯機は、洗濯槽口が天部にあるタテ型の洗濯機の外形寸法と比較すると非常に大きく、このため、洗濯機の周囲三方（両側面側及び背面側）の壁と洗濯機との隙間は非常に狭くなることもあり、２ｃｍ〜３ｃｍ程度の隙間となる場合もある。
【０００４】
上述のことから、洗濯機からの排水を排出するための排水管の内部を洗浄するためには、重く大きい斜めドラムの全自動式洗濯機を移動させる必要が生じた。この解決のため、本出願人は、周囲三方が壁等で囲まれた防水パン上に設置されている洗濯機を上方に移動するための方法を完成させ、また、このときに用いる洗濯機の嵩上げ台も考案し、洗濯機を１分程で嵩上げできるようにした。
【先行技術文献】
【特許文献】
【０００５】
【特許文献１】特開２０１３−２４０５４５号公報
【考案の概要】
【考案が解決しようとする課題】
【０００６】
本考案の目的とするところは、嵩上げ台の取扱性、取扱上の安全性、洗濯機に対する傷付防止性を向上させた洗濯機の嵩上げ台を提供できるようにすることにある。
【課題を解決するための手段】
【０００７】
上述した課題を解決するために、本考案に係る洗濯機の嵩上げ台における形態１は、洗濯機の嵩上げ台において、洗濯機の脚を載せるための台座であって、上面、底面、及び側面を有する台座と、上記台座から上方へ向って延びている操作体と、を備え、上記台座及び操作体のうちの少なくとも一方に設けられたマグネットの磁気吸着力により、操作体が台座の上面の一端部ないし一端部近傍に磁着していることを特徴とする。
【０００８】
形態２は、洗濯機の嵩上げ台において、洗濯機の脚を載せるための台座であって、上面、底面、及び側面を有する台座と、上記台座から上方へ向って延びている操作体と、を備え、上記操作体の基部寄りの部分が、台座の側面または上面に挿入口が設けられた該台座の内方に向かって延びる穴に挿入されていることを特徴とする。
【０００９】
また、形態２において、上記穴が、上記台座の側面の背面側に設けられて、挿入口から該穴の底部に向かって概ね水平に延びていることを特徴とする。
【００１０】
また、形態２において、上記穴が、上記台座の側面の背面側に設けられて、挿入口から該穴の底部に向かって上り傾斜で延びていることを特徴とする。
【００１１】
また、形態２において、上記穴が、上記台座の側面または上面に設けられて、  挿入口から該穴の底部に向かって下り傾斜で延びていることを特徴とする。
【００１２】
また、形態２において、上記操作体の基端部ないし基端部近傍と、上記穴の底部または底部近傍とが、弾性変形部材を介して接続されていることを特徴とする。
【００１３】
また、形態２において、上記操作体の上記穴の内部に挿入されている基部寄りの部分及び上記穴のうちの少なくとも一方に設けられたマグネットの磁気吸着力により、基部寄りの部分が穴内壁に磁着していることを特徴とする。
【００１４】
形態３は、洗濯機の嵩上げ台において、洗濯機の脚を載せるための台座であって、上面、底面、及び側面を有する台座と、上記台座から上方へ向って延びている操作体と、を備え、上記操作体が、上記台座の上面ないし背面に立設され、且つ操作体の基部に弾性変形部材が設けられていることを特徴とする。
【００１５】
形態４は、洗濯機の嵩上げ台において、洗濯機の脚を載せるための台座であって、上面、底面、及び側面を有する台座と、上記台座から上方へ向って延びている操作体と、を備え、上記操作体が、上記台座の上面ないし背面に立設され、且つ該作体の基部寄りの部分に弾性変形部材が設けられていることを特徴とする。
【００１６】
また、形態１から形態４のいずれかは、上記台座が、平面視において、長方形や楕円やオーバル（卵型）などの横長形状であることを特徴とする。
【００１７】
また、形態１から形態４のいずれかは、上記操作体が、弾性変形部材から構成されていることを特徴とする。
【００１８】
また、形態１から形態４のいずれかは、上記操作体が、単数もしくは複数のロッドおよびハンドルの少なくとも一方から構成されている。
【００１９】
また、形態１から形態４のいずれかは、上記操作体が、伸縮可能に構成されていることを特徴とする。
【００２０】
また、形態１から形態４のいずれかは、連結部材によって２基並行に連結されていることを特徴とする。
【００２１】
また、形態２から形態４のいずれかは、上記台座と操作体とが、螺着によって取り付けられていることを特徴とする。
【考案の効果】
【００２２】
本考案の洗濯機の嵩上げ台によれば、該嵩上げ台の使用時には、台座と操作体たるロッドやハンドルとがしっかりと固定され、また、操作体が横長形状の台座の長手方向の端部寄りに設置されているので、操作体による台座のコントロールがし易く、且つ、洗濯機下方の洗濯機背面と壁面との隙間が狭い場合でも、操作体によって台座の長手方向を素早く壁と平行に調整して隙間に入り易くできるので、台座を防水パン上の適正位置にセットするまでの時間も短く、引き続き行われる排水管の洗浄作業を、時間に追われることなく指定時間内に終了させることができる。
【００２３】
また、防水パン上にセット（載置）された嵩上げ台の台座上に洗濯機の後脚を乗せた際に、台座と接続する操作体たるロッドやハンドルとがしっかりと接続されているので、該操作体を手で捻ることによって台座がしっかりと防水パン上に載置されているか否かを容易に確認することができる。すなわち、操作体が設置状態を確認するための検出器となる。
【００２４】
さらに、防水パン上にセット（載置）された嵩上げ台の台座上に洗濯機の後脚を乗せたときや、台座上に乗せた洗濯機の後脚を位置調整したとき、洗濯機の背部が台座と接続する操作体たるロッドやハンドルに衝突した場合でも上記操作体が衝突により押された方向に移動できるようになっているので、洗濯機のボディへの傷付きを防止することができる。
【図面の簡単な説明】
【００２５】
【図１Ａ】本考案に係る洗濯機の嵩上げ台による嵩上げ工程を示す概略図。
【図１Ｂ】防水パンの上で行う場合の嵩上げ工程を示す図。
【図２】嵩上げ台の実施例を示す図。
【図３】嵩上げ台の実施例を示す図。
【図４】台座に形成する孔の実施例を示す図。
【図５】嵩上げ台の実施例を示す図。
【図６】嵩上げ台の実施例を示す図。
【図７】嵩上げ台の実施例を示す図。
【図８】嵩上げ台の実施例を示す図。
【図９】嵩上げ台の台座と操作体との取付実施例を示す図。
【図１０】嵩上げ台の実施例を示す図。
【考案を実施するための形態】
【００２６】
以下、本考案に係る洗濯機の嵩上げ台を、添付図面に示す具体例に基づいて説明する。
【００２７】
図１は、本考案に係る洗濯機の嵩上げ台による嵩上げ工程を示した概略図であり、図１（ａ）〜（ｃ）は、引出し台６を用いて行う場合の洗濯機の嵩上げ工程を示した図で、また、図１（ｄ）〜（ｆ）は、防水パンの上で行う場合の洗濯機の嵩上げ工程を示した図である。また、本図１の説明に用いている嵩上げ台は、図２に示した形態の嵩上げ台である。
【００２８】
本嵩上げ台は、防水パン１上に開口１ａを有する排水管の内部洗浄作業を実施する際に、防水パン１上に設置されている洗濯機２を嵩上げして、該洗濯機２の底面と上記開口１ａとの隙間を拡大するために用いられるものである。
【００２９】
本図１の嵩上げ台３は、台座４と操作体たるロッド５とで構成され、該ロッド５は、ロッド５の基部や基部近傍に設けられたマグネット５ａの磁力たる磁気吸着力によって、台座４の端部ないし端部近傍の上面４ａに磁着し、起立している。また、マグネットはロッド５と台座４の両方に設けられる場合もある。
【００３０】
次に、防水パン１の上に設置されている洗濯機２を、嵩上げ台３と、引出し台６とを用いて行う場合の洗濯機２の嵩上げの方法を簡単に説明する。引出し台６を用いることで、洗濯機２と壁との間を広くできる。
【００３１】
図１（ａ）は、前脚２ｂを支点にして後脚２ａを持ち上げた洗濯機２を、防水パン１の前側に配置した洗濯機の引出し台６の上に引き出し（図中の矢印Ａ）て、防水パン１の後側の所定位置（例えば、防水パンの洗濯機の脚を乗せるための台座）に、嵩上げ台３の台座４を、該嵩上げ台３のロッド５を操作してセット（載置）するところを示している。そして、防水パン１の所定の位置にセットしたこの台座４の上面４ａに洗濯機２の後脚２ａを置く（図１（ｂ）の状態になる）。なお、嵩上げ台３は、洗濯機２の左右の後脚２ａにそれぞれセットされる。
【００３２】
図１（ｂ）は、防水パン１にセットされた嵩上げ台３の台座４の上の洗濯機２の後脚２ａを支点に、洗濯機２の前脚２ｂを持ち上げる（図中の矢印Ｂ）ところを示している。そして、持ち上げた前脚２ｂの下方における防水パン１の上に前脚台７をセット（洗濯機２の左右の前脚２ｂ用としてセット）し、該前脚台７の上に、洗濯機２の前脚２ｂを置く（図１（ｃ）の状態になる）。
【００３３】
図１（ｃ）は、嵩上げをした洗濯機２の脚（後脚２ａ／前脚２ｂ）を、嵩上げ台３の台座４及び前脚台７のほぼ中央の安全に置ける位置に移動（図中では、洗濯機２を後方に移動した）した状態を示している。そして、洗濯機２を後方に移動したことによって該洗濯機２の背部２ｃと嵩上げ台３のロッド５とが衝突するが、該ロッド５は、基部に設けられているマグネット５ａの磁力によって台座４の上面４ａに磁着しているため、ロッド５は、衝突により押された方向に倒れることなく後退（図中の矢印Ｃ）して、洗濯機２の傷付きやロッド５の破損が防止される。
【００３４】
次に、防水パン１の上に設置されている洗濯機２を、本防水パン１の上で、嵩上げ台３だけを用いて行う場合の洗濯機２の嵩上げの方法を簡単に説明する。
【００３５】
図１（ｄ）は、防水パン１の上で、洗濯機２の前脚２ｂを支点にして後脚２ａを持ち上げて、防水パン１の後側の所定位置（例えば、防水パンの洗濯機の脚を乗せるための台座）に、嵩上げ台３の台座４を、該嵩上げ台３のロッド５を操作してセット（載置）するところを示している。また、本（ｄ）図では、洗濯機２と壁との間が狭いことから、嵩上げ台３は、台座４の長手方向の一面（側面４ｃ）を壁に対向させた状態（参照：嵩上げ台を上方から見ている図）にして防水パン１の上に挿入している。そして、防水パン１の上でロッド５を概ね９０度回転させて台座４の上面４ａの上方に洗濯機２の後脚２ａが位置するようにセット（載置）し、この台座４の上面４ａに洗濯機２の後脚２ａを置く（図１（ｅ）の状態になる）。なお、嵩上げ台３は、洗濯機２の左右の後脚２ａにそれぞれセットされる。
【００３６】
図１（ｅ）は、防水パン１にセットされた嵩上げ台３の台座４の上の洗濯機２の後脚２ａを支点に、洗濯機２の前脚２ｂを持ち上げる（図中の矢印Ｂ１）ところを示している。そして、持ち上げた前脚２ｂの下方における防水パン１の上に前脚台７をセット（洗濯機２の左右の前脚２ｂ用としてセット）し、該前脚台７の上に、洗濯機２の前脚２ｂを置く（図１（ｆ）の状態になる）。
【００３７】
図１（ｆ）は、嵩上げをした洗濯機２の脚（後脚２ａ／前脚２ｂ）を、嵩上げ台３の台座４及び前脚台７のほぼ中央の安全に置ける位置に移動（図中では、洗濯機２を後方に移動した）した状態を示している。そして、洗濯機２を後方に移動したことによって該洗濯機２の背部２ｃと嵩上げ台３のロッド５とが衝突するが、該ロッド５は、基部に設けられているマグネット５ａの磁力によって台座４の上面４ａに磁着しているため、ロッド５は、衝突により押された方向に倒れることなく後退（図中の矢印Ｃ１）して、洗濯機２の傷付きやロッド５の破損が防止される。
【００３８】
図２は、本考案の嵩上げ台の形態１の実施例を示しており、該嵩上げ台３は、台座４と操作体たるロッド５とで構成され、該ロッド５は、ロッド５の基部や基部近傍に設けられたマグネット５ａの磁力たる磁気吸着力によって、台座４の端部ないし端部近傍の上面４ａに磁着し、起立している。また、マグネットはロッド５と台座４の両方に設けてもよい。
【００３９】
作用としては、図２（ａ）の嵩上げした洗濯機２（図１（ｃ）の状態）を、嵩上げ台３の台座４及び前脚台７（図２では図示は省略）の定位置に移動した（洗濯機２を後方に押した）ときや、あるいは押しすぎにより、該洗濯機２の背部２ｃと嵩上げ台３のロッド５とが衝突したときに、図２（ｂ）のように、ロッド５が衝突により押された方向に後退（図中の矢印Ｃ２）して、洗濯機２の傷付きやロッド５の破損を防止できるようになっている。
【００４０】
なお、嵩上げ台３の台座４は、防水パン１上の開口１ａから続く排水管の内部洗浄作業の実施に支障ない程度に、洗濯機２の底面と防水パン１上の開口１ａ（図１を参照）との隙間を開けることができる台座高とする。また、操作体たるロッド５は、台座４の長手方向の端部ないし端部近傍に設けて、操作し易い長さにすればよい。
【００４１】
そして、マグネット５ａの磁力は、ロッド５を操作して防水パン１の所定の位置に台座３をセットする際や、防水パン１の上から台座４を取り出す際に、ロッド５が台座４から簡単に外れない程度の磁力とする。また、マグネット５ａを直に台座４の上面４ａに磁着させてもよいが、ヨーク（図示は省略）と組み合わせて用いることで磁気吸着力を向上させることもできる。しかしながら、磁気吸着力は、洗濯機２に傷が付かない程度にする。
【００４２】
図３は、本考案の嵩上げ台の形態２の実施例を示しており、該嵩上げ台３は、台座４と操作体たるロッド５とで構成され、該ロッド５は、台座４の主に背面側４ｅから内部へ向かって延びる孔４ｂ内に、ロッド５の本体たる垂直部から続く水平突出部５ｂが挿入されているものである。そして、孔４ｂや水平突出部５ｂの断面視での形状も特に限定するものではなく、円形や角形など所望の形状にすればよい。
【００４３】
作用としては、図３（ａ）の嵩上げした洗濯機２（図１（ｃ）の状態）を、嵩上げ台３の台座４及び前脚台７（図３では図示は省略）の定位置に移動した（洗濯機２を後方に押した）ときや、あるいは押しすぎにより、該洗濯機２の背部２ｃと嵩上げ台３のロッド５とが衝突したときに、図３（ｂ）のように、ロッド５が衝突により押された方向に後退（図中の矢印Ｃ２）すると共に、該ロッド５の水平突出部５ｂも孔４ｂ内を押された方向に後退して、洗濯機２の傷付きやロッド５の破損を防止できるようになっている。
【００４４】
そして、孔４ｂと水平突出部５ｂとの挿入形態は、単に水平突出部５ｂを孔４ｂ内に自由移動可能に挿入してもよいが、この場合は、ロッド５が倒れないように孔４ｂの断面形状等を選定する。そして、図示は省略するが、孔４ｂの底部４ｆと水平突出部５ｂの端部５ｈとをゴム等の弾性部材や引っ張りコイルバネ等の発条部材で接続して、ロッド５の脱落防止、また、洗濯機２の背部２ｃと嵩上げ台３のロッド５とが衝突したときに、押された方向に後退したロッド５が自動で初期位置に復帰できるようにしてもよい。この場合、弾性部材や発条部材による復帰力は、洗濯機２に傷が付かない程度の復帰力にする。
【００４５】
また、孔４ｂ内に挿入されている水平突出部５ｂは、孔４ｂの適宜部位（例えば、底部４ｆ乃至底部４ｆ近傍や、孔４ｂの内外の側面部分等）や、水平突出部５ｂの端部５ｈ乃至端部５ｈ近傍に設けたマグネット（図示は省略）の磁気吸着力によってロッド５の脱落防止をし、洗濯機２の背部２ｃと嵩上げ台３のロッド５とが衝突したときに、ロッド５が押された方向に後退するようにする。しかしながら、磁気吸着力は、洗濯機２の背部２ｃと嵩上げ台３のロッド５とが衝突したときに、洗濯機２に傷が付かない程度にする。
【００４６】
そして、ロッド５の水平突出部５ｂは、一般的には孔４ｂ内を摺動して移動するように設けられるが、水平突出部５ｂをよりスムースに移動できるようにする場合は、該水平突出部５ｂや孔４ｂ内に突起や突条やローラ等の摩擦を低減可能な部材を適宜設置してもよい。また、孔４ｂ内にスラストベアリング（図示は省略）を設けて、該スラストベアリング上に水平突出部５ｂを移動させるようにしてもよい。
【００４７】
なお、上記孔４ｂは台座４の背面側４ｅに限定されるものではなく、台座４の側面４ｃ乃至上面４ａに適宜設置してもよく、例えば、図示は省略するが、孔４ｂの開口４ｇを台座４の背面側４ｅの上端縁すなわち開口が上面４ａと側面４ｃにかかるように設けると共に、開口４ｇから底部４ｆに向かって下り傾斜とする孔４ｂとしてもよい。また、孔４ｂは、図４に示すように、孔４ｂの開口４ｇから底部４ｆに向かって上り傾斜にし、ロッド５の水平突出部５ｂがよりスムースに移動できるようにしてもよい。上記、孔４ｂを傾斜させて設ける場合は、上記水平突出部５ｂを孔４ｂの傾斜に合わせてロッド５の本体たる垂直部に設ける。
【００４８】
また、上述の水平突出部５ｂは、ロッド５の基部側の部分を曲げ加工することによって水平突出部としたり、別の部材をロッド５の基部や基部近傍に取り付けることによって水平突出部としてもよい。上記、別の部材を取り付ける場合は、溶接やねじなどの固定具によって直接的にロッド５に取り付けたり、適当な連結部材、例えば、樹脂や鋼材などの硬質部材や弾性部材や発条部材などの弾性変形部材などによって間接的にロッド５に取り付けてもよい。
【００４９】
図５は、本考案の嵩上げ台の形態３の実施例を示しており、該嵩上げ台３は、台座４と操作体たるロッド５とで構成され、該ロッド５は、基部にゴム等の弾性部材や引っ張りコイルバネ等の発条部材が設けられ、これらの弾性変形部材８を介して、または、弾性変形部材８を配して、台座４の上面４ａに立設している。
【００５０】
作用としては、図５（ａ）の嵩上げした洗濯機２（図１（ｃ）の状態）を、嵩上げ台３の台座４及び前脚台７（図５では図示は省略）の定位置に移動した（洗濯機２を後方に押した）ときや、あるいは押しすぎにより、該洗濯機２の背部２ｃと嵩上げ台３のロッド５とが衝突したときに、図５（ｂ）のように、ロッド５が衝突により押された方向に弾性変形部材８のところから曲がり（図中の矢印Ｃ２）、洗濯機２の傷付きやロッド５の破損を防止できるようになっている。そして、上記弾性変形部材８に有する復帰力は、洗濯機２に傷が付かない程度の復帰力にする。
【００５１】
そして、台座４の上面４ａに立設するロッド５は、図９（ａ）に示したように、ロッド５を、弾性変形部材８を介して台座４の上面４ａに立設させる形態（固定具の図示は省略）や、図９（ｂ）に示したように、ロッド５の端部から突出する突出部材５ｃが固定具１０などで台座４に取り付けられると共に、突出部材５ｃの周囲に設置した弾性変形部材８によってロッド５を台座４の上面４ａに起立させる形態や、図９（ｃ）に示したように、ロッド５の端部から突出する突出部材５ｃと台座４の上面４ａから突出する突出部材４ｄとを固定具１０で接続すると共に、突出部材４ｄ及び突出部材５ｃの周囲に設置した弾性変形部材８によってロッド５を台座４の上面４ａに起立させる形態などを用いればよい。
【００５２】
図６は、本考案の嵩上げ台の形態３における別の実施例を示しており、該嵩上げ台３は、台座４と操作体たるロッド５とで構成され、該ロッド５は、基部にゴム等の弾性部材や引っ張りコイルバネ等の発条部材が設けられ、これらの弾性変形部材８を介して、または、弾性変形部材８を配して、台座４の主に背面側４ｅの側面４ｃに設けられて上方に延びている。
【００５３】
作用としては、図６（ａ）の嵩上げした洗濯機２（図１（ｃ）の状態）を、嵩上げ台３の台座４及び前脚台７（図６では図示は省略）の定位置に移動した（洗濯機２を後方に押した）ときや、あるいは押しすぎにより、該洗濯機２の背部２ｃと嵩上げ台３のロッド５とが衝突したときに、図６（ｂ）のように、ロッド５が衝突により押された方向に弾性変形部材８のところから曲がり（図中の矢印Ｃ２）、洗濯機２の傷付きやロッド５の破損を防止できるようになっている。そして、上記弾性変形部材８に有する復帰力は、洗濯機２に傷が付かない程度の復帰力にする。
【００５４】
そして、台座４の側面４ｃに設けられて上方に延びているロッド５の設置形態は、図９（ａ）〜（ｃ）に示しているロッド５を台座４の上面４ａに設置する形と同様な構造で、台座４の側面４ｃに設置すればよい。
【００５５】
また、図５及び図６におけるロッド５は、図示は省略するが、弾性変形部材８が上面４ａと側面４ｃとにかかるようにして設けてもよい。
【００５６】
図７は、本考案の嵩上げ台の形態４の実施例を示しており、該嵩上げ台３は、台座４と操作体たるロッド５とで構成され、該ロッド５は、台座４の上面４ａに立設している。また、ロッド５の基部寄りの部位には、ゴム等の弾性部材や引っ張りコイルバネ等の発条部材等の弾性変形部材８が設けられている。
【００５７】
作用としては、図７（ａ）の嵩上げした洗濯機２（図１（ｃ）の状態）を、嵩上げ台３の台座４及び前脚台７（図７では図示は省略）の定位置に移動した（洗濯機２を後方に押した）ときや、あるいは押しすぎにより、該洗濯機２の背部２ｃと嵩上げ台３のロッド５とが衝突したときに、図７（ｂ）のように、ロッド５が衝突により押された方向に弾性変形部材８のところから曲がり（図中の矢印Ｃ２）、洗濯機２の傷付きやロッド５の破損を防止できるようになっている。そして、上記弾性変形部材８に有する復帰力は、洗濯機２に傷が付かない程度の復帰力にする。
【００５８】
そして、台座４の上面４ａに立設するロッド５は、図９（ｄ）に示したように、ロッド５の上側部位５ｄと下側部位５ｅを、弾性変形部材８を介して接続して台座４の上面４ａに立設させる形態（固定具の図示は省略）や、図９（ｅ）に示したように、ロッド５の上側部位５ｄの端部から突出する突出部材５ｅと下側部位５ｆの端部から突出する突出部材５ｇとを固定具１０で接続すると共に、突出部材５ｅ及び突出部材５ｇの周囲に設置した弾性変形部材８によってロッド５を下側部位５ｆの上方に起立させる形態などを用いればよい。
【００５９】
図８は、本考案の嵩上げ台の形態４における別の実施例を示しており、該嵩上げ台３は、台座４と操作体たるロッド５とで構成され、該ロッド５は、台座４の主に背面側４ｅの側面４ｃに設けられて上方に延びている。また、ロッド５の基部寄りの部位には、ゴム等の弾性部材や引っ張りコイルバネ等の発条部材等の弾性変形部材８が設けられている。
【００６０】
作用としては、図８（ａ）の嵩上げした洗濯機２（図１（ｃ）の状態）を、嵩上げ台３の台座４及び前脚台７（図８では図示は省略）の定位置に移動した（洗濯機２を後方に押した）ときや、あるいは押しすぎにより、該洗濯機２の背部２ｃと嵩上げ台３のロッド５とが衝突したときに、図８（ｂ）のように、ロッド５が衝突により押された方向に弾性変形部材８のところから曲がり（図中の矢印Ｃ２）、洗濯機２の傷付きやロッド５の破損を防止できるようになっている。そして、上記弾性変形部材８に有する復帰力は、洗濯機２に傷が付かない程度の復帰力にする。
【００６１】
そして、台座４の側面４ｃに設けられて上方に延びているロッド５の設置形態は、図９（ｄ），（ｅ）に示しているロッド５を台座４の上面４ａに設置する形態形と同様な構造で、台座４の側面４ｃに設置すればよい。
【００６２】
なお、図５〜図８に示した嵩上げ台３のロッド５は、ねじ等の固定部材によって台座４の上面４ａもしくは側面４ｃに取り付けるようにしてもよいが、ロッド５もしくは台座４に設置されたマグネットによる磁気吸着によって台座４の上面４ａもしくは側面４ｃに取り付けるようにしてもよい。また、マグネットはロッド５と台座４の両方に設けてもよい。
【００６３】
図１０は、本考案の嵩上げ台３の実施例を示しており、図１０（ａ）は、嵩上げ台３の操作体を、１本のロッド（ロッド５）とした図１に対し、手で握る部位を円形のハンドル９とすると共に、ハンドル９の支えをハンドル脚９ａとしたものである。図１０（ｂ）は、手で握る部位を逆三角形のハンドル９としたものである。図１０（ｃ）及び（ｄ）は、手で握る部位をバー状のハンドル９としたものである。図１０（ｅ）は、嵩上げ台３を、連結部材を介して並行に連結したもので、該連結部材をバー状のハンドル９としているものである。
【００６４】
なお、本実施例の嵩上げ台３において、台座の形状としては、平面視において長方形や楕円またオーバルなどのように横長形状とするのがよい。そして、台座の形状が平面視において楕円やオーバルなど円柱形や円筒形などである場合は、台座の側面は周面（台座の上面・底面でない台座周囲の面を指す）と呼ばれる場合もある。
【００６５】
また、台座４の底部に、傷付き防止また滑り防止のためのゴム等の適当な部材を設けてもよい。また、ロッド５は、嵩上げ作業時に洗濯機２の高さにきめ細かく対応できるよう伸縮できるようにしてもよい。さらに、ロッド５は、弾性部材もしくは発条部材などの弾性変形部材から形成し、洗濯機２の嵩上げ作業時に該洗濯機２の背部２ｃがロッド５に衝突した場合でも該ロッド５自体の変形により衝突エネルギを緩和できるようにしてもよい。
【００６６】
そして、台座４とロッド５（ロッド５の端部に設けた弾性部材もしくは発条部材などの弾性変形部材も含めて）とは、公知技術により取り外し不可に固定してもよいが、図示は省略するが、一方に設けた雄ねじを他方に設けたねじに螺入することによって取り付けできるようにし、嵩上げ台３の未使用時にはロッド５を取り外すことによって保管性が向上するようにしてもよい。また、台座４の上面４ａないし側面４ｃに、洗濯機を嵩上げする際の操作手順を表示してもよい。
【符号の説明】
【００６７】
１…防水パン
１ａ…開口
２…洗濯機
２ａ…後脚
２ｂ…前脚
２ｃ…背部
３…嵩上げ台
４…台座
４ａ…上面
４ｂ…孔
４ｃ…側面
４ｄ…突出部材
４ｅ…背面側
４ｆ…底部
４ｇ…開口
５…ロッド
５ａ…マグネット
５ｂ…水平突出部
５ｃ…突出部材
５ｄ…上側部位
５ｅ…突出部材
５ｆ…下側部位
５ｇ…突出部材
５ｈ…端部
６…引出し台
７…前脚台
８…弾性変形部材
９…ハンドル
９ａ…ハンドル脚
１０…固定具
【図１Ａ】
0003204547.tif 000003
【図１Ｂ】
0003204547.tif 000004
【図２】
0003204547.tif 000005
【図３】
0003204547.tif 000006
【図４】
0003204547.tif 000007
【図５】
0003204547.tif 000008
【図６】
0003204547.tif 000009
【図７】
0003204547.tif 000010
【図８】
0003204547.tif 000011
【図９】
0003204547.tif 000012
【図１０】
0003204547.tif 000013